(57)【要約】【課題】薬品情報の登録時に調剤機器の種別に対応する特定項目の入力漏れを抑制しつつ薬品情報の登録作業の時間を短縮することのできる調剤支援システム、調剤支援プログラム、及び薬品情報登録方法を提供すること。【解決手段】本発明に係る調剤支援システムは、薬品情報を入力するための入力画面Ｇ１１が表示される表示手段と、前記入力画面Ｇ１１における前記薬品情報の入力操作を受け付ける操作手段とを備えており、前記調剤支援システムと共に使用される調剤機器の種別を特定し、入力画面Ｇ１１に表示される薬品情報の項目のうち前記調剤機器の種別に対応して予め設定された特定項目Ｂ１を通常項目Ｃ１と異なる表示態様（項目枠の色など）で表示可能である。【選択図】図９
2015073641.tif 000002
【特許請求の範囲】
【請求項１】
薬品情報を入力するための入力画面が表示される表示手段と、
前記入力画面における前記薬品情報の入力操作を受け付ける操作手段と、
調剤支援システムと共に使用される調剤機器の種別を特定する特定手段と、
前記入力画面に表示される前記薬品情報の項目のうち前記特定手段により特定された前記調剤機器の種別に対応して予め設定された特定項目を他の項目と異なる表示態様で表示可能である表示制御手段と、
を備える調剤支援システム。
【請求項２】
前記表示制御手段が、前記特定手段により特定された前記調剤機器の種別が表示される対応機器表示領域を前記入力画面に表示可能である請求項１に記載の調剤支援システム。
【請求項３】
前記表示制御手段が、前記対応機器表示領域における前記調剤機器の種別を、前記調剤機器の種別に対応する前記特定項目の表示色と同じ表示色又は同系色で表示させる請求項２に記載の調剤支援システム。
【請求項４】
前記表示制御手段が、前記入力画面に表示される前記薬品情報の項目のうち予め設定された必須項目と前記特定項目と他の項目とがそれぞれ異なる表示態様で表示可能である請求項１〜３のいずれかに記載の調剤支援システム。
【請求項５】
前記表示制御手段が、前記入力画面に表示される前記薬品情報の項目のうち前記薬品情報の形体又は剤形に対応して予め設定された項目を前記特定項目として表示可能である請求項１〜４のいずれかに記載の調剤支援システム。
【請求項６】
前記表示制御手段が、前記調剤支援システムと共に使用される前記調剤機器の種別の選択有無を切り換えるための選択操作部を前記入力画面に表示させ、
前記特定手段が、前記選択操作部の操作により選択された前記調剤機器の種別を前記調剤支援システムと共に使用される前記調剤機器の種別として特定可能である請求項１〜５のいずれかに記載の調剤支援システム。
【請求項７】
前記表示制御手段が、前記薬品情報の項目が表示される複数の入力ページを順次切り換えるための順次切換操作部を表示させると共に、前記順次切換操作部の操作に応じて前記入力ページを順次切り換え可能である請求項１〜６のいずれかに記載の調剤支援システム。
【請求項８】
前記表示制御手段が、前記入力ページ各々に対応するステップ項目がステップ順に並べて配置されたステップ表示領域を前記入力画面に表示させると共に、前記ステップ項目のうち現在実行中のステップ項目を他のステップ項目と異なる表示態様で表示させる請求項７に記載の調剤支援システム。
【請求項９】
前記調剤機器の種別と前記特定項目との対応関係を示す対応情報が記憶される対応記憶手段を更に備え、
前記表示制御手段が、前記対応記憶手段に記憶されている前記対応情報に基づいて前記調剤機器の種別の対応する前記特定項目を判断する請求項１〜８のいずれかに記載の調剤支援システム。
【請求項１０】
薬品情報を入力するための入力画面が表示される表示手段と、前記入力画面における前記薬品情報の入力操作を受け付ける操作手段と、を備える調剤支援システムに設けられるコンピュータに、
前記調剤支援システムと共に使用される調剤機器の種別を特定する特定ステップと、
前記入力画面に表示される前記薬品情報の項目のうち前記特定手段により特定された前記調剤機器の種別に対応して予め設定された特定項目を他の項目と異なる表示態様で表示させる表示制御ステップと、
を実行させるための調剤支援プログラム。
【請求項１１】
薬品情報を入力するための入力画面が表示される表示手段と、前記入力画面における前記薬品情報の入力操作を受け付ける操作手段と、を備える調剤支援システムにおいて実行される薬品情報登録方法であり、
前記調剤支援システムと共に使用される調剤機器の種別を特定する特定ステップと、
前記入力画面に表示される前記薬品情報の項目のうち前記特定手段により特定された前記調剤機器の種別に対応して予め設定された特定項目を他の項目と異なる表示態様で表示させる表示制御ステップと、
を実行する薬品情報登録方法。
【発明の詳細な説明】
【技術分野】
【０００１】
本発明は、病院又は調剤薬局などの医療機関における薬品の調剤を支援する調剤支援システムに関する。
【背景技術】
【０００２】
従来から、病院又は調剤薬局などの医療機関では、薬剤師による薬品の調剤を支援する調剤支援システム（例えば、特許文献１参照）が使用されることがある。この種の調剤支援システムでは、処方データに含まれる薬品名又は薬品コード（例えばＹＪコード）などに基づいて、予め登録されている薬品マスターから薬品情報が読み出される。そのため、調剤支援システムには、当該医療機関で使用する各種薬品の薬品情報が予め薬品マスターに登録されている必要がある。なお、薬品情報には、例えば薬品の名称、剤形、及び単位などが含まれる。
【０００３】
一方、医療機関では、薬品の調剤作業において各種の調剤機器が使用される。例えば、調剤機器には、錠剤を自動分包する錠剤分包機、散薬を自動分包する散薬分包機、及び薬品を収容する薬袋を印刷する薬袋プリンタなどが含まれる。そして、このような調剤機器が使用される医療機関では、薬品マスターに登録される薬品情報として、調剤機器を使用するために必要な特定項目の情報が登録されている必要がある。例えば、錠剤分包機であれば、前記特定項目に、薬品の種別（糖衣錠、カプセル錠、裸錠）、形状、大きさ、又は保管方法（暗所保存）などが含まれる。
【先行技術文献】
【特許文献】
【０００４】
【特許文献１】特開２００１−１４５６８７号公報
【発明の概要】
【発明が解決しようとする課題】
【０００５】
しかしながら、前記薬品マスターに登録するべき前記特定項目は、上記に示した薬品の種別など以外に、医療機関で使用される調剤機器の種別によっても異なる。例えば、錠剤分包機が使用される場合には、錠剤分包機の薬品カセットに収容されている薬品であるか否かに関するカセット情報の項目が前記特定項目として含まれることが考えられる。また、散薬分包機が使用される場合には、薬品の色情報、顆粒、又は細粒などの項目が前記特定項目として含まれることが考えられる。このように、使用される調剤機器によって登録するべき前記特定項目の情報が異なる。そのため、例えば医療機関の職員などのユーザーが自分の医療機関において登録が必要な項目がわからず、入力漏れなどの登録ミスが発生するという問題、又は薬品マスターの登録に時間を要するという問題があった。
【０００６】
本発明の目的は、薬品情報の登録時に調剤機器の種別に対応する特定項目の入力漏れを抑制しつつ薬品情報の登録作業の時間を短縮することのできる調剤支援システム、調剤支援プログラム、及び薬品情報登録方法を提供することにある。
【課題を解決するための手段】
【０００７】
本発明の調剤支援システムは、表示手段、操作手段、特定手段、及び表示制御手段を備える。前記表示手段には、薬品情報を入力するための入力画面が表示される。前記操作手段は、前記入力画面における前記薬品情報の入力操作を受け付ける。前記特定手段は、前記調剤支援システムと共に使用される調剤機器の種別を特定する。前記表示制御手段は、前記入力画面に表示される前記薬品情報の項目のうち前記特定手段により特定された前記調剤機器の種別に対応して予め設定された特定項目を他の項目と異なる表示態様で表示可能である。例えば、前記表示態様には、文字色、背景色、項目枠の色、表示位置、又は表示サイズのいずれか一又は複数が含まれる。
【０００８】
本発明によれば、前記入力画面において、前記調剤支援システムと共に使用される前記調剤機器の種別に応じて前記特定項目が特定され、前記特定項目が前記他の項目と異なる表示態様で表示される。従って、ユーザーは、前記他の項目と異なる表示態様で表示される前記特定項目に情報を入力するだけで自分の医療機関において登録が必要な項目の情報を登録することができ、入力漏れを抑制することができる。また、前記特定項目と前記他の項目との表示態様が異なるため、ユーザーは、入力するべき項目を容易に把握することができ、薬品情報の登録作業の時間を短縮することができる。
【０００９】
また、前記表示制御手段が、前記特定手段により特定された前記調剤機器の種別が表示される対応機器表示領域を前記入力画面に表示可能である構成が考えられる。これにより、ユーザーは、前記特定項目の入力が必要である理由が前記調剤機器を使用するためである旨を容易に把握することができる。
【００１０】
ここで、前記表示制御手段は、前記対応機器表示領域における前記調剤機器の種別を、前記調剤機器の種別に対応する前記特定項目の表示色と同じ表示色又は同系色で表示させる構成が考えられる。これにより、ユーザーは、前記特定項目と前記調剤機器の種別との対応関係を容易に把握することができる。
【００１１】
また、前記表示制御手段が、前記特定項目各々を前記特定項目に対応する前記調剤機器の種別ごとに異なる表示態様で表示させる構成が考えられる。これにより、ユーザーは、前記調剤機器の種別ごとに対応する前記特定項目を容易に把握することができる。
【００１２】
また、前記表示制御手段が、前記入力画面に表示される前記薬品情報の項目のうち予め設定された必須項目と前記特定項目と他の項目とをそれぞれ異なる表示態様で表示可能である構成が考えられる。これにより、ユーザーは、前記入力画面において、前記必須項目、前記特定項目、及び前記他の項目をそれぞれ容易に区別することが可能である。
【００１３】
また、前記表示制御手段が、前記入力画面に表示される前記薬品情報の項目のうち前記薬品情報の形体又は剤形に対応して予め設定された項目を前記特定項目として表示可能である構成が考えられる。これにより、ユーザーは、前記薬品情報の形体又は剤形ごとに入力する必要のある項目を前記特定項目の表示によって容易に把握することができる。
【００１４】
また、前記表示制御手段が、前記入力画面に表示される前記薬品情報の項目のうち前記調剤機器の種別と前記薬品情報の形体又は剤形との両方に対応する前記特定項目を他の項目と異なる表示態様で表示可能である構成も考えられる。これにより、前記調剤支援システムで使用される前記調剤機器の種別が複数ある場合でも前記特定項目として表示される項目が前記薬品情報の薬品の形体又は剤形に応じて絞り込まれるため、ユーザーは、入力が必要な項目を容易に判断することができる。
【００１５】
また、前記特定手段が、前記調剤支援システムに接続されている前記調剤機器の種別を前記調剤支援システムと共に使用される前記調剤機器の種別として特定可能であることが考えられる。これにより、前記調剤機器の種別が自動的に特定されるため、ユーザーが前記調剤支援システムで使用される前記調剤機器の種別を設定する手間が軽減される。
【００１６】
また、前記表示制御手段が、前記調剤支援システムと共に使用される前記調剤機器の種別の選択有無を切り換えるための選択操作部を前記入力画面に表示させることが考えられる。この場合、前記特定手段が、前記選択操作部の操作により選択された前記調剤機器の種別を前記調剤支援システムと共に使用される前記調剤機器の種別として特定可能であることが考えられる。これにより、ユーザーが、前記調剤支援システムで使用される前記調剤機器の種別を任意に切り換えて前記特定項目の表示の有無を変更することができる。
【００１７】
また、前記表示制御手段が、前記薬品情報の項目が表示される複数の入力ページを順次切り換えるための順次切換操作部を表示させると共に、前記順次切換操作部の操作に応じて前記入力ページを順次切り換え可能である構成が考えられる。これにより、前記薬品情報が前記入力ページを順次切り換えながら入力されることになるため項目の入力漏れが抑制される。
【００１８】
さらに、前記表示制御手段は、前記入力ページ各々に対応するステップ項目がステップ順に並べて配置されたステップ表示領域を前記入力画面に表示させると共に、前記ステップ項目のうち現在実行中のステップ項目を他のステップ項目と異なる表示態様で表示させる構成が考えられる。これにより、ユーザーは、前記薬品情報の登録作業の進行状況を容易に把握することができる。
【００１９】
ところで、前記調剤支援システムは、前記調剤機器の種別と前記特定項目との対応関係を示す対応情報が記憶される対応記憶手段を更に備えることが考えられる。この場合、前記表示制御手段は、前記対応記憶手段に記憶されている前記対応情報に基づいて前記調剤機器の種別の対応する前記特定項目を判断することが可能である。
【００２０】
また、本発明は、薬品情報を入力するための入力画面が表示される表示手段と、前記入力画面における前記薬品情報の入力操作を受け付ける操作手段と、を備える調剤支援システムに設けられるコンピュータに、特定ステップ及び表示制御ステップを実行させる調剤支援プログラムの発明として捉えてもよい。前記特定ステップは、前記調剤支援システムと共に使用される調剤機器の種別を特定する。前記表示制御ステップは、前記入力画面に表示される前記薬品情報の項目のうち前記特定手段により特定された前記調剤機器の種別に対応して予め設定された特定項目を他の項目と異なる表示態様で表示させる。
【００２１】
さらに、本発明は、薬品情報を入力するための入力画面が表示される表示手段と、前記入力画面における前記薬品情報の入力操作を受け付ける操作手段と、を備える調剤支援システムにおいて実行される薬品情報登録方法であって、特定ステップ及び表示制御ステップを実行する方法の発明として捉えてもよい。前記特定ステップは、前記調剤支援システムと共に使用される調剤機器の種別を特定する。前記表示制御ステップは、前記入力画面に表示される前記薬品情報の項目のうち前記特定手段により特定された前記調剤機器の種別に対応して予め設定された特定項目を他の項目と異なる表示態様で表示させる。
【発明の効果】
【００２２】
本発明によれば、薬品情報の登録時に調剤機器の種別に対応する特定項目の入力漏れを抑制することができる。
【図面の簡単な説明】
【００２３】
【図１】本発明の実施の形態に係る調剤支援システムの概略構成を示すブロック図。
【図２】本発明の実施の形態に係る調剤支援システムで実行されるメンテナンス開始処理の手順の一例を示すフローチャート。
【図３】本発明の実施の形態に係る調剤支援システムで表示される操作画面の一例を示す図。
【図４】本発明の実施の形態に係る調剤支援システムで表示される操作画面の一例を示す図。
【図５】本発明の実施の形態に係る調剤支援システムで表示される操作画面の一例を示す図。
【図６】本発明の実施の形態に係る調剤支援システムで表示される操作画面の一例を示す図。
【図７】本発明の実施の形態に係る調剤支援システムで表示される操作画面の一例を示す図。
【図８】本発明の実施の形態に係る調剤支援システムで実行されるナビゲーション登録処理の手順の一例を示すフローチャート。
【図９】本発明の実施の形態に係る調剤支援システムで表示される操作画面の一例を示す図。
【図１０】本発明の実施の形態に係る調剤支援システムで表示される操作画面の一例を示す図。
【図１１】本発明の実施の形態に係る調剤支援システムで表示される操作画面の一例を示す図。
【図１２】本発明の実施の形態に係る調剤支援システムで表示される操作画面の一例を示す図。
【図１３】本発明の実施の形態に係る調剤支援システムで表示される操作画面の一例を示す図。
【図１４】本発明の実施の形態に係る調剤支援システムで表示される操作画面の一例を示す図。
【図１５】本発明の実施の形態に係る調剤支援システムで表示される操作画面の一例を示す図。
【図１６】本発明の実施の形態に係る調剤支援システムで表示される操作画面の一例を示す図。
【図１７】本発明の実施の形態に係る調剤支援システムで実行される通常登録処理の手順の一例を示すフローチャート。
【図１８】本発明の実施の形態に係る調剤支援システムで表示される操作画面の一例を示す図。
【発明を実施するための形態】
【００２４】
以下添付図面を参照しながら、本発明の実施の形態について説明し、本発明の理解に供する。なお、以下の実施の形態は、本発明を具体化した一例であって、本発明の技術的範囲を限定する性格のものではない。
【００２５】
［調剤支援システム１０］
図１に示すように、本発明の実施の形態に係る調剤支援システム１０は、サーバー１、クライアント端末２、及び調剤機器３を備える。前記サーバー１、前記クライアント端末２、及び前記調剤機器３は、通信網４を介して無線又は有線で通信可能に接続される。前記通信網４は、ＬＡＮ、ＷＡＮ、インターネット、又はイントラネットなどである。また、前記サーバー１には、処方内容を示す処方データを前記サーバー１に入力する電子カルテシステム又は処方入力端末などの上位システム（不図示）が前記通信網４を介して接続される。なお、前記サーバー１が前記上位システム（不図示）から前記処方データを読み出す構成であってもよい。
【００２６】
［調剤機器３］
前記調剤機器３各々は、前記調剤支援システム１０が使用される医療機関において、薬品の調剤作業で使用される。例えば、前記調剤機器３は、錠剤分包機、散薬分包機、水剤分注機、ＰＴＰシート払出装置、ピッキング補助装置、混注装置、薬品秤量装置、調剤鑑査装置、鑑別装置、抗癌剤調製支援システム、注射管理システム、麻薬管理システム、血液製剤管理システム、抗癌剤管理システム、薬袋プリンタ、薬剤情報印刷用プリンタ、及び処方箋印刷用プリンタなどである。前記調剤機器３各々は、前記サーバー１又は前記クライアント端末２から入力される処方データ又は調剤用データなどに基づいて予め設定された薬品払出処理、情報管理処理、又は印刷処理などを実行する。
【００２７】
前記錠剤分包機は、複数種類の錠剤が収容された複数の薬品カセットを有し、調剤用データに従って前記薬品カセットから錠剤を払い出して１服用分ごとに分包紙で包装する分包動作を実行する。前記散薬分包機は、投入された散薬を調剤用データに従って１服用分ごとに分包紙で包装する分包動作を実行する。前記水剤分注機は、複数種類の水剤が収容された複数の薬瓶を有しており、調剤用データに従って前記薬瓶から必要量の水剤を払い出す。前記ＰＴＰシート払出装置は、予め錠剤が包装されたＰＴＰシート又はヒートシールが収容された複数のシートカセットを有し、調剤用データに従って前記シートカセットから前記ＰＴＰシート又は前記ヒートシールを払い出す。前記ピッキング補助装置は、薬剤師が手作業で調剤する際に用いられ、薬品棚又は薬瓶などに付された識別情報（バーコードなど）から薬品名を読み取って、その読み取られた薬品名と処方データに含まれる薬品名との照合を行うものである。
【００２８】
また、前記抗癌剤調製支援システムは、例えばバイオハザード対策が施されたキャビネット内で薬剤師により実行される抗癌剤の調製作業を支援するシステムであり、例えば調剤開始の操作に応じて調製手順及び調製分量などのナビゲーションを実行する。前記混注装置は、調剤用データに従って抗癌剤などの薬品を輸液に注入する混注作業をロボットアームで自動的に実行する。前記薬品秤量装置は、前記散薬分包機に投入する散薬を事前に秤量する際に用いられる。前記調剤鑑査装置は、錠剤鑑査装置、散薬鑑査装置、又は水剤鑑査装置などであり、調剤後の薬品を撮像した画像又は調剤後の薬品の重量などに基づいて、調剤された薬品と処方データに含まれる薬品との照合を行うものである。前記鑑別装置は、患者が保有している薬品の種別を、薬品の色調、大きさ、剤形、記号、コード、マーク、硬度、重量、又は比重などに基づいて判断する。また、薬剤師による薬品の種別の判断及び入力を支援する鑑別プログラムに従った処理を実行するパーソナルコンピュータ等の情報処理装置も前記鑑別装置の一例である。
【００２９】
前記薬袋プリンタは、調剤された薬品を収容する薬袋に処方データ（患者名、服用時期、服用量など）及び薬品情報に含まれる各種の情報を印刷するために使用される。また、前記薬剤情報印刷用プリンタは、薬品情報のうち効用及び副作用などの予め設定された情報を印刷するために使用される。前記処方箋印刷用プリンタは、前記処方データに基づいて処方箋を印刷するために用いられる。なお、前記薬袋プリンタ、前記薬剤情報印刷用プリンタ、及び前記処方箋印刷用プリンタは、共通のプリンタであってもよく、汎用のプリンタであってもよい。
【００３０】
［サーバー１］
前記サーバー１は、制御部１１、記憶部１２、通信Ｉ／Ｆ１３、表示装置１４、操作装置１５、及びドライブ装置１６などを備えるパーソナルコンピュータである。なお、前記サーバー１は、前記調剤支援システム１０が使用される医療機関の外部に設けられてもよい。なお、前記サーバー１では、前記制御部１１により、前記上位システム（不図示）から取得した処方データに基づいて前記調剤機器３各々を制御するための処理が実行されるが、その点については従来と同様であるため説明を省略する。
【００３１】
前記制御部１１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部５は、前記ＣＰＵを用いて、前記ＲＯＭ、前記ＥＥＰＲＯＭ、又は前記記憶部１２に予め記憶された各種の制御プログラムに従って各種の処理を実行する。
【００３２】
前記記憶部１２は、前記制御部１１によって実行される各種のアプリケーションプログラム及び各種のデータが記憶されるハードディスク又はＳＳＤ等の不揮発性の記憶部である。具体的に、前記記憶部１２には、プログラム記憶部１２１、マスター情報記憶部１２２、及びデータベース記憶部１２３が含まれる。
【００３３】
前記プログラム記憶部１２１は、後述のメンテナンス開始処理（図２参照）、ナビゲーション登録処理（図８参照）、及び通常登録処理（図１７参照）などを前記制御部１１に実行させるための調剤支援プログラムが記憶される記憶領域である。
【００３４】
前記マスター情報記憶部１２２は、薬品マスター、患者マスター、薬剤師マスター、処方箋区分マスター、診療科マスター、及び病棟マスターなどの各種のマスター情報が記憶される記憶領域である。例えば、前記薬品マスターには、各種の薬品について、薬品コード（ＹＪコード等）、薬品名、ＪＡＮコード、ＲＳＳコード、薬瓶コード、剤形、単位、比重、薬品種、配合変化、賦形薬品、注意事項などの情報が含まれる。
【００３５】
前記データベース記憶部１２３は、複数の薬品の薬品情報が予め登録された既存の薬品データベースが記憶される記憶領域である。前記薬品データベースは、例えば不特定の医療機関で共通して用いられる多数の薬品情報が事前に登録された汎用のデータベースであって、前記制御部１１が前記薬品マスターの登録時などに利用可能である。
【００３６】
前記通信Ｉ／Ｆ１３は、前記通信網４を介して前記クライアント端末２及び前記調剤機器３などの外部機器との間で、予め定められた通信プロトコルに従って無線又は有線でデータ通信を実行するネットワークカード等を有する通信インターフェースである。
【００３７】
前記表示装置１４は、前記制御部１１からの制御指示に従って各種の情報を表示する液晶ディスプレイ又は有機ＥＬディスプレイなどの表示手段である。前記操作装置１５は、前記サーバー１に各種の情報を入力するためにユーザーによって操作される操作手段である。具体的に、前記操作装置１５は、前記表示装置１４に表示される各種の操作画面における入力操作を受け付けるキーボード及びマウス（ポインティングデバイス）を含む。また、前記操作装置１５は、前記表示装置１４に表示される各種の操作画面に対するタッチ操作を受け付けるタッチパネル、又は音声認識により各種情報の入力を受け付ける音声入力装置を含むものであってもよい。
【００３８】
前記ドライブ装置１６は、前記調剤支援プログラムが記録されたコンピュータ読み取り可能な記録媒体１６１から前記調剤支援プログラムを読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記調剤支援プログラムが前記記憶部１２の前記プログラム記憶部１２１にインストールされる。
【００３９】
そして、前記サーバー１の前記制御部１１は、機器特定部１１１及び表示制御部１１２を含む。なお、前記制御部１１は、前記調剤支援プログラムに従った処理を実行することによって前記機器特定部１１１及び前記表示制御部１１２として機能する。ここに、前記機器特定部１１１及び前記表示制御部１１２として機能するときの前記制御部１１が特定手段及び表示制御手段の一例である。
【００４０】
前記機器特定部１１１は、前記調剤支援システム１０と共に使用される前記調剤機器３の種別を特定する。具体的に、前記機器特定部１１１は、前記調剤支援システム１０に現在接続中の一又は複数の前記調剤機器３の種別を前記調剤支援システム１０で使用される前記調剤機器３の種別として特定する。例えば、前記調剤支援システム１０のシステム設定として、前記調剤支援システム１０に接続されている前記調剤機器３が予め登録されている場合、前記機器特定部１１１は、前記システム設定に基づいて前記調剤機器３の種別を特定する。また、前記制御部１１は、前記調剤支援システム１０に接続されている機器に対して前記通信網４を介してポーリング信号を送信し、前記ポーリング信号に対して前記調剤機器３から取得される応答信号に基づいて、前記調剤支援システム１０に接続されている前記調剤機器３の種別を自動的に特定することも考えられる。これにより、前記調剤機器３の種別が自動的に特定されるため、ユーザーが前記調剤支援システム１０で使用される前記調剤機器３の種別を設定する手間が軽減される。もちろん、前記機器特定部１１１が、前記システム設定情報に基づく前記調剤機器３の種別の特定、及び前記ポーリング処理に基づく前記調剤機器３の種別の特定を共に行うことも考えられる。このとき、前記調剤機器３の種別の特定結果に差異が生じる場合には、前記制御部１１が、どちらの方法で特定した特定結果を使用するかを、ユーザーによる前記操作装置１５の操作に応じて選択可能な構成も考えられる。
【００４１】
前記表示制御部１１２は、前記記憶部１２に記憶されている前記薬品マスターに登録する薬品情報を入力するための入力画面Ｇ１１（図９参照）を、前記サーバー１又は前記クライアント端末２で表示させるための処理を実行する。また、前記表示制御部１１２は、前記入力画面Ｇ１１に表示される前記薬品情報の項目のうち前記機器特定部１１１により特定された前記調剤機器３の種別に対応して予め設定された特定項目を他の項目と異なる表示態様で表示するための処理を実行する。具体的に、前記記憶部１２には、前記調剤機器３の種別と前記特定項目との対応関係を示す対応情報が記憶されており、前記表示制御部１１２は、前記対応情報に基づいて前記調剤機器３各々に対応する前記特定項目を特定することが可能である。なお、前記対応情報は、前記制御部１１によって変更可能である。ここに、前記対応情報を記憶する前記記憶部１２が対応記憶手段の一例である。なお、前記特定項目の表示態様については後段で詳述する。
【００４２】
［クライアント端末２］
一方、前記クライアント端末２は、制御部２１、記憶部２２、通信Ｉ／Ｆ２３、表示装置２４、操作装置２５、及びドライブ装置２６などを備えるパーソナルコンピュータである。前記クライアント端末２各々は、前記調剤支援システム１０が使用される医療機関に配置され、薬剤師などのユーザーによって操作される操作端末である。
【００４３】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００４４】
前記記憶部２２は、前記制御部２１によって実行される各種のアプリケーションプログラム及び各種のデータが記憶されるハードディスク又はＳＳＤ等の不揮発性の記憶部である。具体的に、前記記憶部２２には、オペレーティングシステム（ＯＳ）及びブラウザソフトなどのアプリケーションプログラムが記憶されるプログラム記憶部２２１が含まれる。前記ブラウザソフトは、前記通信網４を介して前記サーバー１にアクセスすることにより前記表示装置２４に各種の操作画面などを表示させると共に、前記操作装置２５を用いた前記操作画面に対する入力操作を前記サーバー１に伝達するためのアプリケーションソフトウェアである。具体的に、前記制御部２１は、前記ブラウザソフトにより表示される操作画面の所定位置に、前記サーバー１に対応するＵＲＬ（Universal  Resource  Locator）などのアドレス情報が入力された場合に、該アドレス情報に基づいて前記サーバー１にアクセスする。
【００４５】
前記通信Ｉ／Ｆ２３は、前記通信網４を介して前記サーバー１及び前記調剤機器３などの外部機器との間で、予め定められた通信プロトコルに従って無線又は有線でデータ通信を実行するネットワークカード等を有する通信インターフェースである。
【００４６】
前記表示装置２４は、前記制御部２１からの制御指示に従って各種の情報を表示する液晶ディスプレイ又は有機ＥＬディスプレイなどの表示手段である。前記操作装置２５は、前記クライアント端末２に各種の情報を入力するためにユーザーによって操作される操作手段である。具体的に、前記操作装置２５は、前記表示装置２４に表示される各種の操作画面における入力操作を受け付けるキーボード及びマウス（ポインティングデバイス）を含む。また、前記操作装置２５は、前記表示装置２４に表示される各種の操作画面に対するタッチ操作を受け付けるタッチパネル、又は音声認識により各種情報の入力を受け付ける音声入力装置を含むものであってもよい。
【００４７】
前記ドライブ装置２６は、前記ＯＳ又は前記ブラウザソフトなどが記録されたコンピュータ読み取り可能な記録媒体２６１から前記ＯＳ又は前記ブラウザソフトなどを読み取ることが可能である。前記記録媒体２６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記記憶部２２の前記プログラム記憶部２２１にインストールされる。
【００４８】
そして、前記調剤支援システム１０では、ユーザーによる前記クライアント端末２の操作に応じて、前記マスター情報記憶部１２２の前記薬品マスターへの薬品情報の登録、及び前記薬品マスターにおける薬品情報の編集などのメンテナンスが実行可能である。具体的に、本実施形態では、前記サーバー１及び前記クライアント端末２によりサーバクライアントシステムが構成されており、前記サーバー１が前記クライアント端末２のユーザー操作に応じて前記薬品マスターに薬品情報を登録する場合について説明する。そのため、以下に説明する「表示」、「操作」、「選択」、「入力」などの作業は前記クライアント端末２の前記表示装置２４及び前記操作装置２５を用いて行われる。
【００４９】
一方、前記サーバー１が前記操作装置１５の操作に応じて前記薬品マスターに薬品情報を登録することも可能であり、前記サーバー１単体を本発明に係る調剤支援システムとして捉えてもよい。さらに、前記サーバー１及び前記クライアント端末２に、前記調剤支援プログラムの一部又は全部がインストールされており、後述のメンテナンス開始処理、ナビゲーション登録処理、及び通常登録処理が前記クライアント端末２及び前記サーバー１によって協働して実行されることも考えられる。
【００５０】
［メンテナンス開始処理］
ここで、図２を参照しつつ、前記調剤支援システム１０において実行されるメンテナンス開始処理について説明する。なお、図３〜図７は、前記クライアント端末２の前記表示装置２４に、ユーザー操作を受け付けるためのユーザーインターフェースとして表示される操作画面の一例を示す図であり、下記の各処理において適宜参照する。
【００５１】
＜ステップＳ１１＞
まず、前記制御部１１は、前記クライアント端末２における前記薬品マスターのメンテナンス開始操作を待ち受ける（Ｓ１１のＮｏ側）。具体的に、前記制御部１１は、前記クライアント端末２が前記薬品マスターのメンテナンス開始ページに対応する予め設定されたＵＲＬにアクセスしたか否かを監視する。そして、前記制御部１１は、前記ＵＲＬへのアクセスが行われた場合、前記クライアント端末２のユーザーを認証するためのログイン画面を前記クライアント端末２の前記表示部２４に表示させる。ここで、前記制御部１１は、前記ログイン画面に対するユーザーＩＤ及びパスワードなどの入力に応じてユーザーの認証が正常に終了するとそのユーザーをログイン状態にする。そして、前記制御部１１は、前記薬品マスターのメンテナンス開始操作が行われたと判断し（Ｓ１１のＹｅｓ側）、処理をステップＳ１２に移行させる。
【００５２】
＜ステップＳ１２＞
ステップＳ１２において、前記制御部１１は、前記クライアント端末２の前記表示装置２４にメンテナンス開始画面Ｇ１を表示させる。ここに、図３は、前記メンテナンス開始画面Ｇ１の一例を示す図である。
【００５３】
前記メンテナンス開始画面Ｇ１は、前記薬品マスターのメンテナンスに関する操作を受け付けるための操作画面である。例えば、前記メンテナンス画面Ｇ１には、検索領域Ｒ１１、切換キーＫ１１、追加キーＫ１２、及び終了キーＫ１３などが設けられている。
【００５４】
前記検索領域Ｒ１１は、前記薬品マスターに登録済の薬品情報を検索するために操作される。なお、前記制御部１１は、前記検索領域Ｒ１１を用いて薬品情報の検索操作が行われ、更新操作又は削除操作が行われた場合に、前記薬品マスターに登録されている前記薬品情報の修正又は削除を行うための処理を実行するが、ここではその説明を省略する。
【００５５】
前記切換キーＫ１１は、前記薬品マスターへの薬品情報の登録時におけるナビゲーション機能のＯＮ／ＯＦＦを切り換えるために操作される。前記ナビゲーション機能は、前記薬品マスターに薬品情報を登録する際に、前記薬品情報の登録工程を順次案内することにより容易に登録作業を行うための機能である。なお、前記ナビゲーション機能を用いて行われるナビゲーション登録処理（図８参照）については後述する。また、図３に示す例では、前記切換キーＫ１２が、ＯＮ及びＯＦＦに対応する二つの操作キーを有するが、操作される度にＯＮ／ＯＦＦが切り換わる一つの操作部であってもよい。前記追加キーＫ１２は、前記薬品マスターへの薬品情報の新規登録を開始する際に操作される操作キーである。また、前記終了キーＫ１３は、前記薬品マスターのメンテナンスを終了するために操作される操作キーである。
【００５６】
＜ステップＳ１３＞
ステップＳ１３において、前記制御部１１は、前記薬品マスターに対する薬品情報の新規登録操作を待ち受ける（Ｓ１３のＮｏ側）。具体的に、前記制御部１１は、前記メンテナンス開始画面Ｇ１の前記追加キーＫ１２が操作された場合に、前記新規登録操作が行われたと判断する。そして、前記制御部１１は、前記新規登録操作が行われると（Ｓ１３のＹｅｓ側）、処理をステップＳ１４に移行させる。なお、前記メンテナンス開始画面Ｇ１において前記終了キーＫ１３が操作されると、前記制御部１１は処理を前記ステップＳ１１に戻す。
【００５７】
＜ステップＳ１４＞
ステップＳ１４において、前記制御部１１は、前記ナビゲーション機能がＯＮに設定されているか否かを判断する。具体的に、前記制御部１１は、前記切換キーＫ１２の状態に応じて前記ナビゲーション機能のＯＮ／ＯＦＦを判断する。ここで、前記制御部１１は、前記ナビゲーション機能がＯＮに設定されていると判断すると（Ｓ１４のＹｅｓ側）、処理をステップＳ１５に移行させる。一方、前記制御部１１は、前記ナビゲーション機能がＯＦＦに設定されていると判断すると（Ｓ１４のＮｏ側）、処理をステップＳ１４１に移行させる。
【００５８】
＜ステップＳ１４１＞
ステップＳ１４１において、前記制御部１１は、前記ナビゲーション機能を使用せずに前記薬品マスターに薬品情報を登録するための通常登録処理（図１７参照）を実行する。なお、前記通常登録処理については後述する。
【００５９】
＜ステップＳ１５＞
一方、前記ナビゲーション機能がＯＮである場合、続くステップＳ１５において、前記制御部１１は、前記クライアント端末２の前記表示装置２４にウィザード開始画面Ｇ２を表示させる。ここに、図４は、前記ウィザード開始画面Ｇ２の一例を示す図である。
【００６０】
前記ウィザード開始画面Ｇ２は、前記薬品マスターに登録する薬品情報の登録方法の選択操作を受け付けるための操作画面である。例えば、前記ウィザード開始画面Ｇ２には、重複チェックキーＫ２１、検索キー入力領域Ｒ２１、登録方法選択領域Ｒ２２、ヘルプキーＫ２２、及び進行キーＫ２３が設けられている。
【００６１】
前記重複チェックキーＫ２１は、前記検索キー入力領域Ｒ２１に入力された薬品コード、ホストコード、又はＹＪコードが既に前記薬品マスターに登録されているか否かをチェックするための操作キーである。前記制御部１１は、前記重複チェックキーＫ２１が操作されると、前記薬品コード、前記ホストコード、又は前記ＹＪコードが前記薬品マスターに登録されているか否かを判断して判断結果を表示させる。なお、前記薬品コードは、例えば前記調剤支援システム１０で薬品を識別するために薬品ごとに予め設定された任意の識別コードである。
【００６２】
前記登録方法選択領域Ｒ２２は、前記薬品マスターに登録する薬品情報を既存の薬品データベースから取り込むか否かを選択するための操作領域である。前記登録方法選択領域Ｒ２２における選択結果は、後述のステップＳ１６における判断指標として参照される。
【００６３】
前記ヘルプキーＫ２２は、前記ウィザード開始画面Ｇ２における項目の説明を表示するための操作キーである。前記制御部１１は、前記ヘルプキーＫ２２が操作されると、前記クライアント端末２の前記表示装置２４にヘルプ画面（不図示）を表示させる。例えば、前記ヘルプ画面では、前記ウィザード開始画面Ｇ２に表示中の前記薬品コード、前記ホストコード、及び前記ＹＪコードの意味及び入力要否などの説明が表示される。
【００６４】
前記進行キーＫ２３は、前記ウィザード開始画面Ｇ２における入力を確定して処理を進めるための操作キーである。前記制御部１１は、前記進行キーＫ２３が操作されると、処理をステップＳ１６に移行させる。
【００６５】
＜ステップＳ１６＞
ステップＳ１６において、前記制御部１１は、前記薬品情報の登録方法として前記薬品データベースからの取り込みが選択されているか否かを判断する。具体的に、前記制御部１１は、前記登録方法選択領域Ｒ２２における選択結果に応じて前記登録方法を判断する。ここで、前記制御部１１は、前記薬品データベースからの取り込みが選択されている場合には（Ｓ１６のＹｅｓ側）、処理をステップＳ１７に移行させる。また、前記制御部１１は、前記薬品データベースから取り込まない旨が選択されている場合には（Ｓ１６のＮｏ側）、処理をステップＳ１６１に移行させる。
【００６６】
＜ステップＳ１６１＞
ステップＳ１６１において、前記制御部１１は、前記クライアント端末２の前記表示装置２４に必須入力画面Ｇ３を表示させる。ここに、図５は、前記必須入力画面Ｇ３の一例を示す図である。
【００６７】
前記必須入力画面Ｇ３は、前記薬品マスターに薬品情報を登録するために入力が必須である必須項目の入力を受け付けるための操作画面である。例えば、前記必須入力画面Ｇ３には、薬品名称入力領域Ｒ３１、処方箋用名称入力領域Ｒ３２、薬品形体入力領域Ｒ３３、薬品単位入力領域Ｒ３４、ヘルプキーＫ３１、リターンキーＫ３２、及び完了キーＫ３３などが設けられている。なお、前記必須入力画面Ｇ３は、後述のナビゲーション登録処理で表示される入力画面Ｇ１１（図９参照）でも入力可能な必須項目の情報を事前に入力するための画面であり、前記必須入力画面Ｇ３は省略されてもよい。
【００６８】
前記薬品名称入力領域Ｒ３１は、前記薬品マスターに登録する薬品情報のうち薬品の名称を入力するための入力欄である。前記処方箋用名称入力領域Ｒ３２は、前記薬品マスターに登録する薬品情報のうち処方箋に示されるときの名称を入力するための入力欄である。前記薬品形体入力領域Ｒ３３は、前記薬品マスターに登録する薬品情報のうち薬品の形体を入力するための入力欄である。例えば、前記薬品形体入力領域Ｒ３３には、薬品を処方する際の形体であって、錠剤分包、錠剤ヒート、散薬分包、及び散薬ヒートなどが入力される。前記薬品単位入力領域Ｒ３４は、前記薬品マスターに登録する薬品情報のうち薬品の単位を入力するための入力欄である。前記薬品の単位は、例えば、錠、ｍｇ、又はｍｌ等である。
【００６９】
前記ヘルプキーＫ３１は、前記必須入力画面Ｇ３における項目の説明を表示するための操作キーである。前記制御部１１は、前記ヘルプキーＫ３１が操作されると、前記クライアント端末２の前記表示装置２４にヘルプ画面（不図示）を表示させる。例えば、前記ヘルプ画面では、前記必須入力画面Ｇ３に表示されている薬品名称、処方箋用名称、薬品形体、及び薬品単位に関する意味及び入力要否などの説明が表示される。
【００７０】
前記リターンキーＫ３２は、前記必須入力画面Ｇ３における入力を取り消して処理を戻すための操作キーである。前記制御部１１は、前記リターンキーＫ３２が操作されると、処理を前記ステップＳ１５に戻す。また、前記完了キーＫ３３は、前記必須入力画面Ｇ３における入力を確定して処理を進めるための操作キーである。前記制御部１１は、前記完了キーＫ３３が操作されると、処理をステップＳ１９に移行させる。
【００７１】
＜ステップＳ１７＞
また、前記薬品情報が前記薬品データベースから取り込まれる場合、続くステップＳ１７において、前記制御部１１は、前記クライアント端末２の前記表示装置２４に検索画面Ｇ４を表示させる。ここに、図６は、前記検索画面Ｇ４の一例を示す図である。
【００７２】
前記検索画面Ｇ４は、前記薬品マスターに登録する薬品情報を前記薬品データベースから検索して選択するための操作画面である。例えば、前記検索画面Ｇ４には、一覧表示領域Ｒ４１、薬品コード入力領域Ｒ４２、検索キーＫ４１、検索条件設定キーＫ４２、登録キーＫ４３、リターンキーＫ４４、及び薬品詳細キーＫ４５が設けられている。
【００７３】
前記薬品コード入力領域Ｒ４２は、前記検索画面Ｇ４の前記一覧表示領域Ｒ４１に表示させる薬品情報を絞り込むキーワードを入力するための入力欄である。また、前記検索条件設定キーＫ４２は、前記薬品コード入力領域Ｒ４２に入力された薬品コードの検索条件を設定するための設定キーであり、例えば予め設定された部分一致又は完全一致などの検索条件を選択するために操作される。
【００７４】
前記一覧表示領域Ｒ４１は、前記ウィザード開始画面Ｇ３の前記検索キー表示領域Ｒ３１、又は前記薬品コード入力領域Ｒ４２に入力されたキーワードを前記薬品データベースから検索した結果として薬品情報の一覧が表示される領域である。なお、前記検索キー表示領域Ｒ３１及び前記薬品コード入力領域Ｒ４２に情報が入力されていない場合、前記制御部１１は、前記一覧表示領域Ｒ４１に前記薬品データベースの全ての薬品情報を一覧表示させることが考えられる。また、前記制御部１１は、前記検索キー表示領域Ｒ３１及び前記薬品コード入力領域Ｒ４２に情報が入力されていない場合、前記一覧表示領域Ｒ４１を空白にすることも考えられる。
【００７５】
前記登録キーＫ４３は、前記一覧表示領域Ｒ４１において選択された薬品情報の登録を開始するための操作キーである。そして、前記制御部１１は、前記登録キーＫ４３の操作に応じて、処理をステップＳ１８に移行させる。また、前記リターンキーＫ４４は、前記検索画面Ｇ４における選択を取り消して処理を戻すための操作キーである。前記制御部１１は、前記リターンキーＫ４４が操作されると、処理を前記ステップＳ１５に戻す。
【００７６】
なお、前記薬品詳細キーＫ４５は、前記薬品データベースに登録されている前記薬品情報の詳細を表示するために操作される操作キーである。前記制御部１１は、前記薬品詳細キーＫ４５の操作に応じて、前記一覧表示領域Ｒ４１で選択されている薬品情報の詳細を前記薬品データベースから読み出して表示させる。
【００７７】
＜ステップＳ１８＞
ステップＳ１８において、前記制御部１１は、前記クライアント端末２の前記表示装置２４に取得項目選択画面Ｇ５を表示させる。ここに、図７は、前記取得項目選択画面Ｇ５の一例を示す図である。
【００７８】
前記取得項目選択画面Ｇ５は、前記薬品データベースから取得する前記薬品情報の項目を選択するための操作画面である。例えば、前記取得項目選択画面Ｇ５には、項目選択部Ｒ５１、完了キーＫ５１、全選択キーＫ５２、全解除キーＫ５３、及びリターンキーＫ５４が設けられている。
【００７９】
前記項目選択部Ｒ５１には、前記薬品データベースから取得する前記薬品情報の項目として、薬品名、単位＆換算式、色、剤形、及びＪＡＮコードなどの項目が表示されている。そして、前記取得項目選択画面Ｇ５では、ユーザー操作に応じて前記薬品情報の項目各々の選択／非選択が変更される。
【００８０】
前記完了キーＫ５１は、前記項目選択部Ｒ５１における前記薬品情報の項目の選択を確定するための操作キーである。前記制御部１１は、前記完了キーＫ５１の操作に応じて、前記項目選択部Ｒ５１で選択された項目の情報を前記薬品データベースから読み出し、処理をステップＳ１９に移行させる。
【００８１】
前記全選択キーＫ５２は、前記項目選択部Ｒ５１における前記薬品情報の項目を全て選択状態に切り換えるための操作キーである。前記全解除キーＫ５３は、前記項目選択部Ｒ５１における前記薬品情報の項目を全て非選択状態に切り換えるための操作キーである。前記リターンキーＫ５４は、前記取得項目選択画面Ｇ５における選択を取り消して処理を戻すための操作キーである。前記制御部１１は、前記リターンキーＫ５４が操作されると、処理を前記ステップＳ１７に戻す。
【００８２】
＜ステップＳ１９＞
その後、ステップＳ１９において、前記制御部１１は、前記ナビゲーション機能を使用して前記薬品マスターに薬品情報を登録するためのナビゲーション登録処理を実行する。なお、前記ナビゲーション登録処理が終了すると、処理は前記ステップＳ１１に戻る。
【００８３】
［ナビゲーション登録処理］
続いて、図８を参照しつつ、前記制御部１１により前記ステップＳ１９で実行される前記ナビゲーション登録処理について説明する。なお、図９〜図１６は、前記クライアント端末２の前記表示装置２４に、ユーザー操作を受け付けるためのユーザーインターフェースとして表示される操作画面の一例を示す図であり、下記の各処理において適宜参照する。
【００８４】
＜ステップＳ２１＞
まず、ステップＳ２１において、前記制御部１１は、前記調剤支援システム１０と共に使用される前記調剤機器３の種別を特定する。前記調剤機器３の種別の特定は、前述したように、例えば前記調剤支援システム１０に現在接続中の前記調剤機器を特定することによって行われる。なお、前記ナビゲーション登録処理では、前記ステップＳ２１が前記機器特定部１１１により実行される特定ステップの一例であり、以下のステップＳ２２以降の処理が前記表示制御部１１２によって実行される表示制御ステップの一例である。
【００８５】
＜ステップＳ２２＞
ステップＳ２２において、前記制御部１１は、前記クライアント端末２の前記表示装置２４に入力画面Ｇ１１を表示させる。ここに、図９は、前記入力画面Ｇ１１の一例を示す図である。
【００８６】
前記入力画面Ｇ１１は、前記薬品情報の各項目の入力操作を受け付けるための操作画面である。例えば、前記入力画面Ｇ１１には、検索領域Ｒ１１１、ステップ表示領域Ｒ１１２、ステップ案内領域Ｒ１１３、ヘルプ表示領域Ｒ１１４、項目種別表示領域Ｒ１１５、項目表示領域Ｒ１１６、項目表示領域Ｒ１１７、切換キーＫ１１１、進行キーＫ１１２、後退キーＫ１１３、及び更新キーＫ１１４などが設けられている。
【００８７】
ここで、前記メンテナンス開始処理において前記薬品情報が前記薬品データベースから取り込まれる場合、前記制御部１１は、前記薬品データベースから取り込んだ前記薬品情報の項目の内容を前記項目表示領域Ｒ１１６及び前記項目表示領域Ｒ１１７に反映させた状態で前記入力画面Ｇ１１を表示させる。また、前記メンテナンス開始処理において前記薬品情報が前記薬品データベースから取り込まれていない場合、前記制御部１１は、前記必須入力画面Ｇ３において入力された前記薬品情報の項目の内容を前記項目表示領域Ｒ１１６及び前記項目表示領域Ｒ１１７に反映させた状態で前記入力画面Ｇ１１を表示させる。
【００８８】
前記検索領域Ｒ１１１は、前記薬品マスターに登録済の薬品情報を検索するために操作される。なお、前記検索領域Ｒ１１１を用いて薬品情報の検索が行われた場合、前記制御部１１は、前記ステップ表示領域Ｒ１１２及びステップ案内領域Ｒ１１３に代えて、後述の通常登録画面Ｇ２１（図１８参照）に表示される検索結果表示領域Ｒ２１１を表示させる。
【００８９】
前記ステップ表示領域Ｒ１１２は、前記ナビゲーション機能を用いて前記薬品情報を登録するために予め設定された複数のステップ項目がその実行順に並べて表示される領域である。また、前記制御部１１は、前記ステップ表示領域Ｒ１１２において、現在実行中のステップ項目を他のステップ項目と異なる表示態様で表示させる。具体的に、前記制御部１１は、前記ステップ表示領域Ｒ１１２において、現在実行中のステップ項目を反転表示させており、その反転表示の対象をステップの進行又は後退に伴って移動させる。これにより、ユーザーは、前記薬品情報の登録作業の進行状況を容易に把握することができる。
【００９０】
前記ステップ案内領域Ｒ１１３は、前記ステップ表示領域Ｒ１１２に表示されている現在実行中のステップに関する説明が表示される領域である。例えば、前記ステップ案内領域Ｒ１１３には、現在実行中のステップで入力するべき情報の内容及び操作方法などの案内メッセージが表示される。
【００９１】
前記ヘルプ表示領域Ｒ１１４は、前記項目表示領域Ｒ１１６及び前記項目表示領域Ｒ１１７に表示される薬品情報の各項目に関して予め設定された説明が表示される領域である。具体的に、前記制御部１１は、前記入力画面Ｇ１１において入力カーソルが指している前記項目表示領域Ｒ１１６又は前記項目表示領域Ｒ１１７の項目（入力対象項目）に関する説明を前記ヘルプ表示領域Ｒ１１４に表示させる。前記説明は、例えば前記薬品情報の項目に入力される情報が前記調剤支援システム１０又は前記調剤機器３の動作に与える影響、或いは前記項目を入力する目的などを含む。図９に示す例では、前記入力領域Ｒ１１７において「標榜薬効」に入力カーソルがあり、前記ヘルプ表示領域Ｒ１１４に、入力目的として「薬袋や薬剤情報に印字する場合に登録が必要になります。」が表示され、標準薬効の説明として「標準薬効は添付文書のヘッダーに記載されている薬効分類名称です。」が表示されている。これにより、ユーザーが、前記項目各々を入力する目的及び入力すべき情報を容易に認識することができる。なお、前記制御部１１は、前記薬品情報の項目のうち後述の必須項目Ａ１及び特定項目Ｂ１のいずれか一方又は両方のみについて前記説明を前記ヘルプ表示領域Ｒ１１４に表示させ、後述の通常項目Ｃ１については前記ヘルプ表示領域Ｒ１１４における説明を省略してもよい。
【００９２】
前記項目種別表示領域Ｒ１１５は、前記項目表示領域Ｒ１１６及び前記項目表示領域Ｒ１１７に表示されている前記薬品情報の項目の種別を判断するための情報が表示される領域である。例えば、前記項目種別表示領域Ｒ１１５には、必須項目キーＡ０、特定項目キーＢ０、及び非表示項目キーＤ０が表示される。
【００９３】
前記必須項目キーＡ０は、前記項目表示領域Ｒ１１６及び前記項目表示領域Ｒ１１７に表示される項目のうち予め設定された必須項目Ａ１の表示態様を示す表示キーである。具体的に、前記必須項目キーＡ０では、必須項目の白色文字が、背景に赤色の着色が施された状態で表示されており、前記必須項目Ａ１に対応する表示態様の色が赤色である旨が示唆されている。一方、後述するように、前記制御部１１は、前記入力画面Ｇ１１において、項目枠に赤色の着色が施された状態で前記必須項目Ａ１を表示させる。
【００９４】
前記特定項目キーＢ０は、前記ステップＳ２１により特定された前記調剤機器３の種別を表示する表示キーである。そして、前記特定項目キーＢ０は、前記項目表示領域Ｒ１１６及び前記項目表示領域Ｒ１１７に表示される項目のうち前記ステップＳ２１により特定された前記調剤機器３の種別に対応する予め設定された特定項目Ｂ１の表示態様を示す。これにより、ユーザーは、前記特定項目Ｂ１の入力が必要である理由が前記調剤機器３を使用するためである旨を容易に把握することができる。なお、前記特定項目Ｂ１は、前記薬品情報の登録のために必須の項目ではないが、当該薬品情報に対応する薬品の調剤時に前記調剤機器３を使用する場合に入力しておくことが必要な項目又は入力しておくことが望ましい項目である。ここに、前記特定項目キーＢ０が表示される前記項目種別表示領域Ｒ１１５が対応機器表示領域の一例である。
【００９５】
また、前記制御部１１は、前記項目種別表示領域Ｒ１１５において、前記調剤機器３の種別を表示する前記特定項目キーＢ０を、前記調剤機器３の種別に対応する前記特定項目Ｂ１の表示色と同じ表示色又は同系色で表示させる。このとき、前記制御部１１は、前記記憶部１２に記憶された前記対応情報に基づいて、前記調剤機器３の種別に対応する前記特定項目Ｂ１を判断する。なお、本実施の形態では、前記特定項目キーＢ０及び前記特定項目Ｂ１の表示色が同じである場合を例に挙げて説明する。具体的に、前記特定項目キーＢ０では、前記調剤機器３の種別を示す白色文字が、背景に緑色の着色が施された状態で表示されており、前記調剤機器３の種別に対応する前記特定項目Ｂ１の表示態様の色が緑色である旨が示唆されている。図９に示す例では、前記調剤支援システム１０に接続可能な前記調剤機器３の種別のうち現在前記調剤支援システム１０に接続されている前記調剤機器３である前記薬剤情報印刷用プリンタ及び前記錠剤分包機に対応する「薬剤情報」及び「錠剤」が前記特定項目キーＢ０として表示されている。一方、後述するように、前記制御部１１は、前記入力画面Ｇ１１において、項目枠に緑色の着色が施された状態で前記特定項目Ｂ１を表示させる。これにより、ユーザーは、前記特定項目Ｂ１と前記調剤機器３の種別との対応関係を容易に把握することができる。
【００９６】
前記非表示項目キーＤ０は、前記ステップＳ２１で特定されなかったが前記調剤支援システム１０には接続可能である前記調剤機器３の種別を表示する表示キーである。具体的に、図９に示す例では、前記調剤支援システム１０に接続可能な前記調剤機器３のうち現在前記調剤支援システム１０に接続されていない前記調剤機器３である薬袋プリンタ、散薬分包機、散薬鑑査システム、注射管理システム、麻薬管理システム、血液製剤管理システム、及び抗癌剤支援システムに対応する「薬袋」、「散薬」、「散薬鑑査」、「注射」、「麻薬」、「血液製剤」、及び「抗癌剤」が前記非表示項目キーＤ０として表示されている。
【００９７】
また、前記項目種別表示領域Ｒ１１５では、前記項目種別表示領域Ｒ１１５に表示されている前記調剤機器３の種別を示す前記特定項目キーＢ０及び前記非表示項目キーＤ０が、ユーザー操作可能な操作キーとして用いられる。そして、前記制御部１１は、前記特定項目キーＢ０又は前記非表示項目キーＤ０の操作に応じて、前記特定項目キーＢ０又は前記非表示項目キーＤ０に対応する前記調剤機器３の種別の選択有無を切り換えることが可能である。ここに、前記調剤機器３の種別の選択有無を切り換えるための操作を受け付ける前記特定項目キーＢ０及び前記非表示項目キーＤ０が選択操作部の一例である。なお、前記制御部１１が、前記必須項目キーＡ０についても同様に選択有無を切り換え可能であり、前記必須項目キーＡ０に対応する項目の表示態様を前記必須項目Ａ１及び前記通常項目Ｃ１のいずれかに切り換えることが可能な構成も考えられる。
【００９８】
前記項目表示領域Ｒ１１６は、前記薬品情報の代表的な項目が表示される領域である。例えば、前記項目表示領域Ｒ１１６には、前記薬品情報のうちコード、ホストコード、ＹＪコード、言語区分、及び名称が表示される。なお、前記入力画面Ｇ１１では、前記項目表示領域Ｒ１１７の表示内容については、前記薬品情報の登録過程に応じて変化するが、前記項目表示領域Ｒ１１６の表示は変化せず常に前記入力画面Ｇ１１の上部に表示される。
【００９９】
前記項目表示領域Ｒ１１７は、前記薬品情報の詳細な項目が表示される領域である。例えば、前記項目表示領域Ｒ１１７には、前記薬品情報のうち表示用（名称）、処方箋印刷用（名称）、形体、剤形、色形状、カセット情報、規格情報、単位、ＲＦＩＤ、及び刻印コードなどが表示されている。
【０１００】
また、前記項目表示領域Ｒ１１７には、表示切換部Ｔ１〜Ｔ８が表示されている。前記制御部１１は、前記薬品情報の項目が表示される複数の入力ページを任意に切り換えて前記項目表示領域Ｒ１１７に表示させるための操作タブとして前記表示切換部Ｔ１〜Ｔ８を前記入力画面Ｇ１１に表示させている。図９に示す前記入力画面Ｇ１１では、前記表示切換部Ｔ１に対応する入力ページが前記項目入力領域Ｒ１１７に表示されている。そして、前記制御部１１は、前記ナビゲーション機能により進行する前記薬品情報の登録のための各ステップの進行及び後退に伴って前記表示切換部Ｔ１〜Ｔ８に対応する入力ページを順次表示させる。例えば、図９に示すように、前記表示切換部Ｔ１〜Ｔ８各々が、前記ステップ表示領域Ｒ１１２に表示されるステップ各々に個別に対応していることが考えられる。なお、前記ナビゲーション登録処理において、前記制御部１１は、前記表示切換部Ｔ１〜Ｔ８の操作を受け付けず、前記進行キーＫ１１２及び前記リターンキーＫ１１３の操作に応じた前記ステップの進行及び後退のみに連動して前記表示切換部Ｔ１〜Ｔ８に対応する入力ページを前記項目表示領域Ｒ１１７に順次表示させる。即ち、前記ナビゲーション登録処理において前記表示切換部Ｔ１〜Ｔ８は操作無効の状態である。ここに、前記進行機キーＫ１１２及び前記リターンキーＫ１１３が順次切換操作部の一例である。
【０１０１】
ここに、図９〜図１６は、前記表示切換部Ｔ１〜Ｔ８各々に対応する入力ページが前記項目入力領域Ｒ１１７に表示された前記入力画面Ｇ１１の一例を示す図である。具体的に、図９に示す前記入力画面Ｇ１１では、前記表示切換部Ｔ１に対応する「基本情報」の入力ページが表示されており、図１０に示す前記入力画面Ｇ１１では、前記表示切換部Ｔ２に対応する「調剤情報−１」の入力ページが表示されている。また、図１１に示す前記入力画面Ｇ１１では、前記表示切換部Ｔ３に対応する「調剤情報−２」の入力ページが表示されており、図１２に示す前記入力画面Ｇ１１では、前記表示切換部Ｔ４に対応する「注射情報」の入力ページが表示されている。さらに、図１３に示す前記入力画面Ｇ１１では、前記表示切換部Ｔ５に対応する「薬剤情報」の入力ページが表示されており、図１４に示す前記入力画面Ｇ１１では、前記表示切換部Ｔ６に対応する「チェック」の入力ページが表示されている。また、図１５に示す前記入力画面Ｇ１１では、前記表示切換部Ｔ７に対応する「特定薬剤」の入力ページが表示されており、図１６に示す前記入力画面Ｇ１１では、前記表示切換部Ｔ８に対応する「ホスト連係」の入力ページが表示されている。
【０１０２】
そして、前記表示切換部Ｔ１〜Ｔ８各々に対応する前記入力ページが表示された前記入力画面Ｇ１１では、前記項目表示領域Ｒ１１６及び前記項目表示領域Ｒ１１７において、前記必須項目Ａ１は、項目枠に赤色の着色が施された状態で表示され、前記特定項目Ｂ１は、項目枠に緑色の着色が施された状態で表示されている。なお、図９〜図１６では、図示の便宜上、前記必須項目Ａ１における項目枠の赤色の着色を二重線で示しており、前記特定項目Ｂ１における項目枠の緑色の着色を太線で示している。
【０１０３】
具体的に、図９〜図１６は、前記ステップＳ２１において、前記調剤支援システム１０で使用される前記調剤機器３の種別として、前記薬剤情報印刷用プリンタ及び前記錠剤分包機が特定された場合の表示例である。そのため、例えば図９に示す前記入力画面Ｇ１１では、前記薬剤情報印刷用プリンタ及び前記錠剤分包機の種別を示す「薬剤情報」及び「錠剤」が前記特定項目キーＢ０として表示されている。そして、前記項目入力領域Ｒ１１６及び前記項目入力領域Ｒ１１７では、「標準薬効」、「カセット情報」、「ＲＦＩＤ」、及び「刻印コード」が前記特定項目Ｂ１として表示されている。また、前記項目入力領域Ｒ１１６及び前記項目入力領域Ｒ１１７では、「名称」、「表示名」、「処方箋印刷用」、「形体」、及び「単位」が前記必須項目Ａ１として表示されている。
【０１０４】
一方、前記項目表示領域Ｒ１１６及び前記項目表示領域Ｒ１１７に表示されている項目のうち前記必須項目Ａ１及び前記特定項目Ｂ１に該当しない他の項目である通常項目Ｃ１は、項目枠に黒色の着色が施された通常の状態で表示されている。なお、図９〜図１６では、図示の簡略化のため、前記通常項目Ｃ１に該当する「カナ名」のみに前記通常項目Ｃ１の符号を付している。また、前記必須項目Ａ１、前記特定項目Ｂ１、及び前記通常項目Ｃ１各々の前記表示態様の違いは、項目枠の色に限らず、文字色、背景色、項目枠の色、表示位置、又は表示サイズのいずれか一つ又は複数を含むことが考えられる。
【０１０５】
このように、前記入力画面Ｇ１１では、前記必須項目Ａ１と前記特定項目Ｂ１と前記通常項目Ｃ１とがそれぞれ異なる表示態様で表示されている。従って、前記調剤支援システム１０では、ユーザーが前記必須項目Ａ１、前記特定項目Ｂ１、及び前記通常項目Ｃ１をそれぞれ容易に区別することが可能である。例えば、ユーザーが前記薬品情報の各項目の入力の必要性を容易に判断することが可能であるため、前記薬品マスターの登録作業の効率が向上する。
【０１０６】
特に、前記入力画面Ｇ１１では、前記項目種別表示領域Ｒ１１５に、前記必須項目Ａ１の表示態様及び前記特定項目Ｂ１の表示態様を示唆するための前記必須項目キーＡ０及び前記特定項目キーＢ０が表示されている。従って、ユーザーは前記入力画面Ｇ１１における前記必須項目Ａ１と前記特定項目Ｂ１と前記通常項目Ｃ１とを容易に区別することが可能である。なお、前記必須項目Ａ１及び前記特定項目Ｂ１の表示態様が同じであることも考えられるが、前記必須項目Ａ１及び前記特定項目Ｂ１の表示態様が異なることにより、ユーザーは、前記調剤支援システム１０で使用される前記調剤機器３の種別に対応する前記特定項目を、前記調剤機器３を使用しない場合にも入力が必須である前記必須項目と容易に区別することができる。
【０１０７】
なお、ここでは、前記入力画面Ｇ１１に表示される前記特定項目Ｂ１が全て同じ色（緑色）である場合を例に挙げて説明するが、これに限らない。例えば、前記制御部１１が、前記項目種別表示領域Ｒ１１５における前記特定項目キーＢ０を前記調剤機器３の種別ごとに異なる色で表示させ、前記入力画面Ｇ１１における前記特定項目Ｂ１各々を前記特定項目Ｂ１に対応する前記調剤機器３の種別ごとに異なる色で表示させることが考えられる。これにより、ユーザーは、前記調剤機器３の種別ごとに対応する前記特定項目Ｂ１を容易に把握することができる。
【０１０８】
また、前記制御部１１が、前記表示切換部Ｔ１〜Ｔ８の表示を適宜省略することも考えられる。具体的に、前記制御部１１は、前記ステップＳ２１で特定された前記調剤機器３の種別に含まれていない他の前記調剤機器３の種別に対応する項目のみが表示される表示切換部及び入力ページの表示を省略することが考えられる。また、前記制御部１１は、前記表示切換部Ｔ１の入力ページに含まれる「形体」又は「剤形」などに入力された薬品の形体又は剤形などの特定の情報に応じて前記表示切換部Ｔ１〜Ｔ８の表示の有無を切り換えることも考えられる。例えば、前記入力画面Ｇ１１で入力された「剤形」が注射でなければ、注射情報を入力するための入力ページに対応する前記表示切換部Ｔ４の表示が省略されることが考えられる。これにより、不要な入力ページの表示が省略され、前記ナビゲーション機能を用いた登録作業のステップ数が減るため、ユーザーによる登録作業の効率が高まる。なお、前記制御部１１は、前記メンテナンス開始処理で表示される前記必須入力画面Ｇ３（図５参照）で、前記薬品形体入力領域Ｒ３３に入力された薬品の形体に応じて前記表示切換部Ｔ１〜Ｔ８の表示の有無を切り換えることも考えられる。
【０１０９】
＜ステップＳ２３＞
そして、ステップＳ２３において、前記制御部１１は、前記入力画面Ｇ１１において、進行操作が行われたか否かを判断する。具体的に、前記制御部１１は、前記入力画面Ｇ１１の前記進行キーＫ１１２が操作された場合に前記進行操作が行われたと判断する。ここで、前記制御部１１は、前記進行操作が行われたと判断すると（Ｓ２３のＹｅｓ側）、処理をステップＳ２３１に移行させる。また、前記制御部１１は、前記進行操作が行われていない場合は（Ｓ２３のＮｏ側）、処理をステップＳ２４に移行させる。
【０１１０】
＜ステップＳ２４＞
ステップＳ２４において、前記制御部１１は、前記入力画面Ｇ１１において、後退操作が行われたか否かを判断する。具体的に、前記制御部１１は、前記入力画面Ｇ１１の前記リターンキーＫ１１３が操作された場合に前記後退操作が行われたと判断する。ここで、前記制御部１１は、前記後退操作が行われたと判断すると（Ｓ２４のＹｅｓ側）、処理をステップＳ２４１に移行させる。また、前記制御部１１は、前記後退操作が行われていない場合は（Ｓ２４のＮｏ側）、処理をステップＳ２５に移行させる。
【０１１１】
＜ステップＳ２３１＞
ステップＳ２３１において、前記制御部１１は、前記項目表示領域Ｒ１１７に表示されている入力ページを次のステップに対応する入力ページに切り換える。具体的に、前記制御部１１は、前記表示切換部Ｔ１〜Ｔ８のうち現在選択されている表示切換部に対応する前記入力ページを、前記表示切換部Ｔ１〜Ｔ８における次の表示切換部に対応する前記入力ページに切り換える。例えば、前記表示切換部Ｔ１に対応する前記入力ページ（図９参照）が表示されている場合には、次の前記表示切換部Ｔ２に対応する前記入力ページ（図１０参照）が表示される。
【０１１２】
＜ステップＳ２４１＞
ステップＳ２４１において、前記制御部１１は、前記項目表示領域Ｒ１１７に表示されている入力ページを一つ前のステップに対応する入力ページに切り換える。具体的に、前記制御部１１は、前記表示切換部Ｔ１〜Ｔ８のうち現在選択されている表示切換部に対応する前記入力ページを、前記表示切換部Ｔ１〜Ｔ８における一つ前の表示切換部に対応する前記入力ページに切り換える。例えば、前記表示切換部Ｔ２に対応する前記入力ページ（図１０参照）が表示されている場合には、一つ前の前記表示切換部Ｔ１に対応する前記入力ページ（図９参照）が表示される。
【０１１３】
なお、前記進行キーＫ１１２及び前記リターンキーＫ１１３が操作された場合の動作として、前記項目入力領域Ｒ１１７における前記入力ページを遷移させるのではなく、前記入力画面Ｇ１１における入力カーソルを、予め設定された順で前記必須項目Ａ１及び前記特定項目Ｂ１各々に移動させることも考えられる。なお、このとき前記入力カーソルは、前記通常項目Ｃ１を避けて前記必須項目Ａ１及び前記特定項目Ｂ１のみを順に移動する。例えば、図９の前記入力画面Ｇ１１において、入力カーソルが前記必須項目Ａ１である「形体」の入力領域に存在する場合、前記制御部１１は、前記進行キーＫ１１２の操作に応じて、前記入力カーソルを一つ後に位置する前記特定項目Ｂ１である「カセット情報」の入力領域に移動させる。また、前記入力カーソルが前記特定項目Ｂ１である「カセット情報」の入力領域に存在する場合、前記制御部１１は、前記リターンキーＫ１１３の操作に応じて、前記入力カーソルを一つ前の前記必須項目Ａ１である「形体」の入力領域に移動させる。なお、前記制御部１１は、前記入力画面Ｇ１１の遷移及び前記入力カーソルの移動のいずれを実行するかを、前記調剤支援システム１０の前記システム設定などにおいて予め設定可能である。
【０１１４】
＜ステップＳ２５＞
ステップＳ２５において、前記制御部１１は、前記項目種別表示領域Ｒ１１５における前記調剤機器３の種別の選択有無が変更されたか否かを判断する。具体的に、前記制御部１１は、前記項目種別表示領域Ｒ１１５における前記特定項目キーＢ０又は前記批評次項目キーＤ０が操作された場合に前記特定項目キーＢ０又は前記批評次項目キーＤ０に対応する前記調剤機器３の種別の選択有無が変更されたと判断する。ここで、前記制御部１１は、前記調剤機器３の種別の選択有無が変更されたと判断した場合は（Ｓ２５のＹｅｓ側）、処理をステップＳ２５１に移行させる。また、前記制御部１１は、前記調剤機器３の種別の選択有無が変更されていないと判断した場合は（Ｓ２５のＮｏ側）、処理をステップＳ２６に移行させる。
【０１１５】
＜ステップＳ２５１＞
ステップＳ２５１において、前記制御部１１は、前記調剤機器３の種別の選択有無に応じて、前記入力画面Ｇ１１に表示される前記特定項目Ｂ１を変更するための処理を実行する。具体的に、前記調剤機器３の種別が選択状態から非選択状態に変更された場合、前記制御部１１は、当該調剤機器３の種別に対応する前記特定項目キーＢ０を前記非表示項目キーＤ０として表示させると共に、当該調剤機器３の種別に対応する前記特定項目Ｂ１を前記通常項目Ｃ１として表示する。また、具体的に、前記調剤機器３の種別が非選択状態から選択状態に変更された場合、前記制御部１１は、当該調剤機器３に対応する前記非表示項目キーＤ０を前記特定項目キーＢ０に変更すると共に、当該調剤機器３に対応する前記通常項目Ｃ１を前記特定項目Ｂ１に変更する。即ち、前記調剤支援システム１０では、ユーザーが、前記特定項目キーＢ０及び前記非表示項目キーＣ０の操作により、前記調剤支援システム１０で使用される前記調剤機器３の種別を任意に切り換えて前記特定項目Ｂ１の表示の有無を変更することが可能である。
【０１１６】
＜ステップＳ２６＞
ステップＳ２６において、前記制御部１１は、前記薬品情報の登録操作が行われたか否かを判断する。具体的に、前記制御部１１は、前記更新キーＫ１１４が操作された場合に、前記登録操作が行われたと判断する。ここで、前記制御部１１は、前記登録操作が行われたと判断すると（Ｓ２６のＹｅｓ側）、処理をステップＳ２７に移行させる。また、前記制御部１１は、前記登録操作が行われていないと判断すると（Ｓ２６のＮｏ側）、処理を前記ステップＳ２３に移行させる。
【０１１７】
なお、前記更新キーＫ１１４は、前記入力画面Ｇ１１において、前記項目入力領域Ｒ１１７の前記表示切換部Ｔ１〜Ｔ８のいずれが表示されている場合であっても操作可能である。また、前記制御部１１が、前記入力画面Ｇ１１が最終ステップに対応する前記表示切換部Ｔ８に移動するまでの間は、グレーアウトなどにより前記更新キーＫ１１４の操作を無効とし、前記最終ステップに対応する前記表示切換部Ｔ８に移行した場合に前記更新キーＫ１１４の操作を有効にすることも考えられる。
【０１１８】
＜ステップＳ２７＞
ステップＳ２７において、前記制御部１１は、前記入力画面Ｇ１１において入力された薬品情報を前記マスター情報記憶部１２２の前記薬品マスターに登録する。このとき、前記制御部１１は、前記薬品情報の項目のうち前記必須項目Ａ１に入力漏れがある場合にその旨を通知し、前記特定項目Ｂ１又は前記通常項目Ｃ１に入力漏れがある場合はその旨を通知しないことが考えられる。
【０１１９】
また、前記制御部１１は、前記必須項目Ａ１及び前記特定項目Ｂ１に入力漏れがある場合にその旨を通知し、前記通常項目Ｃ１に入力漏れがある場合にのみその旨を通知しないことも他の実施形態として考えられる。なお、前記制御部１１は、前記特定項目Ｂ１についての入力漏れがある場合、前記薬品情報の登録を許可しないことも考えられるが、前記操作装置２５のユーザー操作に応じて未入力のまま登録可能であってよい。
【０１２０】
さらに、前記制御部１１は、前記入力漏れの通知を、前記更新キーＫ１１４の操作時に限らず、前記進行キーＫ１１２の操作時に実行することも考えられる。この場合、前記制御部１１は、前記進行キーＫ１１２が操作されたときに表示されている前記必須項目Ａ１及び前記特定項目Ｂ１のいずれか一方又は両方について入力漏れの有無を判断し、その旨を通知することも考えられる。
【０１２１】
以上、説明したように、前記調剤支援システム１０では、前記入力画面Ｇ１１において、前記調剤機器３が使用される場合に入力が必要な前記特定項目Ｂ１の存在をユーザーが容易に把握することができ、前記薬品情報の登録時における前記特定項目Ｂ１への入力漏れが抑制される。また、前記制御部１１によって前記ナビゲーション登録処理が実行されることにより、予め設定されたステップに従って前記薬品情報の入力が行われるため入力漏れのおそれをより低減することが可能である。さらに、前記調剤支援システム１０では、前記入力画面Ｇ１１において注視すべき箇所が一目でわかるためユーザーによる前記薬品情報の登録作業の効率も高まる。
【０１２２】
［通常登録処理］
次に、図１７を参照しつつ、前記制御部１１により前記ステップＳ１３１で実行される前記通常登録処理について説明する。なお、図１８は、前記クライアント端末２の前記表示装置２４に、ユーザー操作を受け付けるためのユーザーインターフェースとして表示される操作画面の一例を示す図であり、下記の各処理において適宜参照する。
【０１２３】
＜ステップＳ３１＞
まず、ステップＳ３１において、前記制御部１１は、前記ステップＳ２１と同様に、前記調剤支援システム１０が使用される前記医療機関で使用可能な調剤機器を特定するための処理を実行する。
【０１２４】
＜ステップＳ３２＞
次に、ステップＳ３２において、前記制御部１１は、前記クライアント端末２の前記表示装置２４に入力画面Ｇ２１を表示させる。ここに、図１８は、前記入力画面Ｇ２１の一例を示す図である。
【０１２５】
前記入力画面Ｇ２１は、前記薬品情報の各項目の入力操作を受け付けるための操作画面である。例えば、前記入力画面Ｇ２１には、前記入力画面Ｇ１１と同様に、前記検索領域Ｒ１１１、前記ヘルプ表示領域Ｒ１１４、前記項目種別表示領域Ｒ１１５、前記項目表示領域Ｒ１１６、前記項目表示領域Ｒ１１７、前記切換キーＫ１１１、及び前記更新キーＫ１１４などが設けられている。一方、前記入力画面Ｇ２１には、前記ステップ表示領域Ｒ１１２及び前記ステップ案内領域Ｒ１１３に代えて、検索結果表示領域Ｒ２１１が設けられている。なお、前記入力画面Ｇ２１について前記入力画面Ｇ１１と同様の表示内容については説明を省略する。
【０１２６】
前記検索結果表示領域Ｒ２１１は、前記検索領域Ｒ１１１を用いた検索操作の検索結果として薬品情報の薬品名などが一覧表示される領域である。前記調剤支援システム１０において、前記薬品マスターに登録されている前記薬品情報の修正又は削除などの編集を行う場合には、前記検索結果表示領域Ｒ２１１に表示された前記薬品情報から編集対象の薬品情報が選択可能である。
【０１２７】
＜ステップＳ３３＞
ステップＳ３３において、前記制御部１１は、前記入力画面Ｇ１１の前記項目入力領域Ｒ１１７に表示される入力ページを切り換えるためのページ切換操作が行われたか否かを判断する。具体的に、前記制御部１１は、前記項目入力領域Ｒ１１７に表示されている前記表示切換部Ｔ１〜Ｔ８のいずれかが操作された場合に、前記ページ切換操作が行われたと判断する。ここで、前記制御部１１は、前記ページ切換操作が行われたと判断すると（Ｓ３３のＹｅｓ側）、処理をステップＳ３３１に移行させる。また、前記制御部１１は、前記ページ切換操作が行われていないと判断すると（Ｓ３３のＮｏ側）、処理をステップＳ３４に移行させる。
【０１２８】
＜ステップＳ３３１＞
ステップＳ３３１において、前記制御部１１は、前記入力画面Ｇ１１において前記項目入力領域Ｒ１１７に表示される入力ページを切り換える。具体的に、前記制御部１１は、前記ステップＳ３３で操作された前記表示切換部Ｔ１〜Ｔ８のいずれかに対応する前記入力ページを前記入力画面Ｇ１１の前記項目入力領域Ｒ１１７に表示させる。即ち、前記通常登録処理では、前記表示切換部Ｔ１〜Ｔ８の操作が有効となり、ユーザーが前記表示切換部Ｔ１〜Ｔ８の操作によって前記入力画面Ｇ１１の前記項目入力領域Ｒ１１７に表示される入力ページを任意に切り換えることが可能である。
【０１２９】
＜ステップＳ３４＞
ステップＳ３４において、前記制御部１１は、前記ステップＳ２５と同様に、前記項目種別表示領域Ｒ１１５における前記調剤機器３の種別の選択有無が変更されたか否かを判断する。ここで、前記制御部１１は、前記調剤機器３の種別の選択有無が変更されたと判断した場合は（Ｓ３４のＹｅｓ側）、処理をステップＳ３４１に移行させる。また、前記制御部１１は、前記調剤機器３の種別の選択有無が変更されていないと判断した場合は（Ｓ３４のＮｏ側）、処理をステップＳ３５に移行させる。
【０１３０】
＜ステップＳ３５＞
ステップＳ３５において、前記制御部１１は、前記ステップＳ２６と同様に、前記薬品情報の登録操作が行われたか否かを判断する。具体的に、前記制御部１１は、前記更新キーＫ１１４が操作された場合に、前記登録操作が行われたと判断する。ここで、前記制御部１１は、前記登録操作が行われたと判断すると（Ｓ３５のＹｅｓ側）、処理をステップＳ３６に移行させる。また、前記制御部１１は、前記登録操作が行われていないと判断すると（Ｓ３５のＮｏ側）、処理を前記ステップＳ３３に移行させる。
【０１３１】
＜ステップＳ３６＞
ステップＳ３６において、前記制御部１１は、前記ステップＳ２７と同様に、前記入力画面Ｇ１１において入力された薬品情報を前記マスター情報記憶部１２２の前記薬品マスターに登録する。
【０１３２】
［他の実施形態１］
ところで、前記調剤支援システム１０の他の実施形態として、前記制御部１１が、前記入力画面Ｇ１１に表示される前記薬品情報の項目のうち前記薬品情報に対応する薬品の形体又は剤形に対応する項目を前記特定項目Ｂ１として表示させることが考えられる。
【０１３３】
具体的に、前記制御部１１は、前記ステップＳ２２において、前記ステップＳ２１で特定された前記調剤機器３の種別に対応する前記特定項目Ｂ１に加えて、前記必須入力画面Ｇ３における入力情報に基づいて特定される薬品の形体に対応して予め設定された項目を前記特定項目Ｂ１として表示させる。これにより、ユーザーは、前記薬品情報の形体又は剤形ごとに対応して入力する必要のある項目を前記特定項目Ｂ１の表示によって容易に把握することができる。なお、前記制御部１１が、前記入力画面Ｇ１１において前記薬品の形体又は剤形が入力された時点で、前記薬品の形体又は剤形に対応して予め設定された項目を前記特定項目Ｂ１として表示させることも考えられる。
【０１３４】
また、前記調剤支援システム１０において、前記制御部１１が、前記入力画面Ｇ１１に表示される前記薬品情報の項目のうち前記調剤機器３の種別と前記薬品情報に対応する薬品の形体又は剤形との両方に対応する項目を前記通常項目Ｃ１と異なる表示態様で表示することも考えられる。具体的に、前記制御部１１は、前記ステップＳ２２において、前記ステップＳ２１で特定された前記調剤機器３の種別に対応する前記特定項目Ｂ１のうち、前記薬品情報に対応する薬品の形体又は剤形にも対応する項目のみを前記特定項目Ｂ１として表示させる。これにより、前記ステップＳ２１により特定された前記調剤機器３の種別が複数種類ある場合であっても、前記薬品情報の形体又は剤形に対応しない前記特定項目Ｂ１が表示されないため、入力が必要な前記特定項目Ｂ１の表示が絞られる。
【０１３５】
例えば、前記ステップＳ２１において、前記調剤支援システム１０で使用される前記調剤機器３の種別として前記錠剤分包機及び前記散薬分包機が特定された場合、前記実施形態の構成では、前記錠剤分包機及び前記散薬分包機各々に対応する項目が前記特定項目Ｂ１として前記入力画面Ｇ１１に表示される。これに対し、前記制御部１１が、前記ステップＳ２１において、前記調剤支援システム１０で使用される前記調剤機器３の種別として前記錠剤分包機及び前記散薬分包機が特定された場合であって、前記薬品情報の薬品の形体として錠剤分包が入力された場合、又は前記薬品情報の薬品の剤形として錠剤が入力された場合に、錠剤の調剤に使用される前記錠剤分包機に対応する項目のみを前記特定項目Ｂ１として表示させ、錠剤の調剤時に使用されない前記散薬分包機に対応する項目を前記通常項目Ｃ１として表示させることが考えられる。これにより、前記調剤支援システム１０で使用される前記調剤機器３の種別が複数ある場合でも前記特定項目Ｂ１として表示される項目が前記薬品情報の薬品の形体又は剤形に応じて絞り込まれるため、ユーザーは、入力が必要な項目を容易に判断することができる。
【０１３６】
［他の実施形態２］
さらに、前記調剤支援システム１０において、前記制御部１１が、前記調剤機器３の種別に代えて、前記薬品情報に対応する薬品の形体又は剤形に対応する項目を前記特定項目Ｂ１として前記通常項目Ｃ１とは異なる表示態様で表示させることも考えられる。即ち、薬品情報を入力するための入力画面が表示される表示手段と、前記入力画面における前記薬品情報の入力操作を受け付ける操作手段と、前記薬品情報に含まれる薬品の形体又は剤形を特定する第２特定手段と、前記入力画面に表示される前記薬品情報の項目のうち前記第２特定手段により特定された前記薬品の形体又は剤形に対応して予め設定された特定項目を他の項目と異なる表示態様で表示可能である第２表示制御手段と、を備える調剤支援システムを本発明の他の局面に係る形態として捉えることができる。
【０１３７】
具体的に、前記調剤支援システム１０では、前記制御部１１が、前記第２特定手段及び前記第２表示制御手段として機能する。そして、前記制御部１１は、前記ステップＳ２１において、前記必須入力画面Ｇ３における前記薬品形体入力領域Ｒ３３の入力情報に基づいて薬品の形体を特定することが考えられる。そして、前記制御部１１は、前記ステップＳ２２において、前記薬品の形体に対応して予め設定された特定項目を前記特定項目Ｂ１として前記入力画面Ｇ１１に表示させる。なお、前記制御部１１が、前記入力画面Ｇ１１において薬品の形体又は剤形が入力された時点で、前記薬品の形体又は剤形に対応して予め設定された特定項目を前記特定項目Ｂ１として表示させることも考えられる。
【符号の説明】
【０１３８】
１  ：サーバー
１１：制御部
１２：記憶部
１３：通信Ｉ／Ｆ
１４：操作装置
１５：表示装置
１６：ドライブ装置
２  ：クライアント端末
２１：制御部
２２：記憶部
２３：通信Ｉ／Ｆ
２４：操作装置
２５：表示装置
２６：ドライブ装置
３  ：調剤機器
１０：調剤支援システム
【図１】
2015073641.tif 000003
【図２】
2015073641.tif 000004
【図３】
2015073641.tif 000005
【図４】
2015073641.tif 000006
【図５】
2015073641.tif 000007
【図６】
2015073641.tif 000008
【図７】
2015073641.tif 000009
【図８】
2015073641.tif 000010
【図９】
2015073641.tif 000011
【図１０】
2015073641.tif 000012
【図１１】
2015073641.tif 000013
【図１２】
2015073641.tif 000014
【図１３】
2015073641.tif 000015
【図１４】
2015073641.tif 000016
【図１５】
2015073641.tif 000017
【図１６】
2015073641.tif 000018
【図１７】
2015073641.tif 000019
【図１８】
2015073641.tif 000020